(57)【要約】      （修正有）【課題】収納棚の収納スペースを広く確保するとともに、利用者がテレビを見やすいようにしたテレビ取付装置、および、これを備えた収納棚の提供。【解決手段】回動アーム支持機構ａ上に、左右両縁にレールｂ’，ｂ’を形成した長尺な回動ア−ムｂを、その基端を支点に左右回動自在にして取り付け、上記回動アームｂの上記レールｂ’，ｂ’に係合する係合突縁を左右両縁に形成した長尺なスライダ１２を上記回動アームｂに対して摺動自在にして係合させるとともに、左右回転および起伏傾動自在な薄型テレビ固定用ブラケット１５をそのスライダ１２に対して取り付けてなるテレビ取付装置。また、上記テレビ取付装置を、上記回動アーム支持機構ａをテレビ支持板の上面に乗載固定して取り付けた収納棚。【選択図】図１
0003136366.tif 000002
【実用新案登録請求の範囲】
【請求項１】
回動アーム支持機構（ａ）上に、左右両縁にレール（ｂ’，ｂ’）を形成した長尺な回動ア−ム（ｂ）を、その基端を支点に左右回動自在にして取り付け、上記回動アーム（ｂ）の上記レール（ｂ’，ｂ’）に係合する係合突縁を左右両縁に形成した長尺なスライダ（１２）を上記回動アーム（ｂ）に対して摺動自在にして係合させるとともに、左右回転および起伏傾動自在な薄型テレビ固定用ブラケット（１５）をそのスライダ（１２）に対して取り付けてなることを特徴とするテレビ取付装置。
【請求項２】
上記薄型テレビ固定用ブラケット（１５）が、上記スライダ（１２）の前端に取り付けられ、このスライダ（１２）の摺動長さの範囲内において、回動アーム（ｂ）の前端から前方に移動可能であることを特徴とする請求項１記載のテレビ取付装置。
【請求項３】
請求項１または２記載のテレビ取付装置を、テレビ支持板（３５）の上面に上記回動アーム支持機構（ａ）を乗載固定することによって取り付けたことを特徴とする収納棚。
【請求項４】
上記テレビ取付装置（Ａ）が、テレビ支持板（３５）の所要位置に開設した通孔に上記回動アーム支持機構（ａ）のインサートナット（６・・・）を嵌合させてネジにより固定されていることを特徴とする請求項３記載の収納棚。
【請求項５】
下側収納部（２９）の上方に、該下側収納部（２９）の上面の左縁の支持板部（３０）、後縁の支持板部（３１）、右縁の支持板部（３２）に囲繞形成された上側収納部（３３）を備え、その上側収納部（３３）が、前面を開放可能な開閉扉（３３’）を備えていることを特徴とする３または４記載の収納棚。
【考案の詳細な説明】
【技術分野】
【０００１】
本考案は、液晶テレビ，プラズマテレビ等の薄型テレビ（コンピュ−タ用薄型ディスプレイを含む）を床頭台その他の収納棚に取り付けるためのテレビ取付装置およびこれを備えた収納棚に関する。
【背景技術】
【０００２】
従来、床頭台等の収納棚に薄型テレビを取り付けるテレビ取付装置として、図１７，１８に示したようなものが知られている（特許文献１）。
このテレビ取付装置１００は、概括的には、ガイドレ−ル１０１，１０１（一方のみ図示した）と、このガイドレ−ル１０１，１０１に沿って前後方向に摺動するＸガイド１０２と、このＸガイド１０２に沿って左右方向に摺動する摺動部材１０３と、この摺動部材１０３の下端に取り付けられたプレ−ト１０４と、該プレ−ト１０４の下面に回転自在にして取り付けられたブラケット１０５と、このブラケット１０５の下方沿設部１０６，１０６に回転自在にして取り付けた回転板１０７，１０７（一方のみ図示した）と、これら回転板１０７，１０７に対して取り付けたテレビ保持部材１０８からなる。
【０００３】
そして、上記プレ−ト１０４のブラケット１０５に対向する面に所定角度間隔で複数の凹部１０４’・・・を形成し、また、上記回転板１０７，１０７の上記下方沿設部１０６，１０６に対向する面にも所定角度間隔で複数の凹部１０７’・・・を形成し、それらの凹部１０４’・・・，１０７’・・・の位置にボ−ル１０９・・・およびスプリング１１０・・・を組み込んでおり、これらによって、上記ブラケット１０５および回転板１０７，１０７（テレビ保持部材１０８）の回転を所定の角度間隔ごとに阻止するクリック機構を構成している。
【０００４】
上記テレビ取付装置１００は、土台部１１１と１対の支持部材１１２，１１２と天井部１１３とからなりキャビネット１１４の上に設置された中空箱形の床頭台１１５に取り付けられて、上記テレビ保持部材１０８に固定した薄型テレを１１６を前後左右に移動自在にするとともに、起伏回動および左右回転を自在にしたものである。
【考案の開示】
【考案が解決しようとする課題】
【０００５】
しかし、このテレビ取付装置１００は上記のボ−ル１０９・・・やスプリング１１０・・・等の微細な部品の組込みに手間がかかるもので、また、床頭台１１５への取付作業は、該床頭台１１５の上記支持部材１１２，１１２の対向位置にガイドレ−ル１０１，１０１を固定した上で、予め摺動部材１０３を挿通しておいたＸガイド１０２の両端を上記ガイドレ−ル１０１，１０１に支持させるというように、組み立てながら行わざるを得ず煩雑なものである。
【０００６】
また、床頭台等の収納棚に薄型テレビを取り付けるその他のテレビ取付装置として、図１９，２０に示したものが知られている（特許文献２）。
しかし、このテレビ取付装置１１７は、図１９に示したように、床頭台１１８に、テレビ１１９を取り付けるためだけにテレビ取付空間１２０を確保することが必要である。この空間１２０は床頭台１１８全体に対して、かなりの部分を占めているにもかかわらず、収納として利用できないデッドスペースとなってしまう。
【０００７】
また、このテレビ取付装置は、図２０に示したように、回動ア−ム１２１の左右回動および薄型テレビ支持機構１２２の左右回転によりテレビ１１９を見やすくしているが、通常、床頭台１１８はベッドの枕元近傍の位置に配置されているので、テレビ１１９を利用者の方に向けると、その距離が近すぎるために首を傾けて不自然な姿勢で見る必要がある。  この、利用者がテレビを見づらいという問題は、特許文献１の床頭台についても同様に生ずるものである。
【特許文献１】特開平１１−２７６５３０号公報
【特許文献２】特許第３７８０３７８号公報
【０００８】
そこで本考案は、収納棚の収納スペースを広く確保するとともに、利用者がテレビを見やすいようにしたテレビ取付装置、および、これを備えた収納棚を提供することを課題とする。
【課題を解決するための手段】
【０００９】
請求項１記載の本考案は、回動アーム支持機構（ａ）上に、左右両縁にレール（ｂ’，ｂ’）を形成した長尺な回動ア−ム（ｂ）を、その基端を支点に左右回動自在にして取り付け、上記回動アーム（ｂ）の上記レール（ｂ’，ｂ’）に係合する係合突縁を左右両縁に形成した長尺なスライダ（１２）を上記回動アーム（ｂ）に対して摺動自在にして係合させるとともに、左右回転および起伏傾動自在な薄型テレビ固定用ブラケット（１５）をそのスライダ（１２）に対して取り付けてなるテレビ取付装置である。
【００１０】
請求項２記載の本考案は、上記薄型テレビ固定用ブラケット（１５）が、上記スライダ（１２）の前端に取り付けられ、このスライダ（１２）の摺動長さの範囲内において、回動アーム（ｂ）の前端から前方に移動可能である請求項１記載のテレビ取付装置である。
【００１１】
請求項３記載の本考案は、請求項１または２記載のテレビ取付装置を、上記回動アーム支持機構（ａ）をテレビ支持板（３５）の上面に乗載固定して取り付けた収納棚である。
【００１２】
請求項４記載の本考案は、上記テレビ取付装置（Ａ）が、テレビ支持板（３５）の所要位置に開設した通孔に上記回動アーム支持機構（ａ）のインサートナット（６・・・）を嵌合させてネジにより固定されている請求項３記載の収納棚である。
【００１３】
請求項５記載の本考案は、下側収納部（２９）の上方に、該下側収納部（２９）の上面の左縁の支持板部（３０）、後縁の支持板部（３１）、右縁の支持板部（３２）に囲繞形成された上側収納部（３３）を備え、その上側収納部（３３）が、前面を開放可能な開閉扉（３３’）を備えている請求項３または４記載の収納棚である。
【考案の効果】
【００１４】
請求項１記載の本考案テレビ取付装置は、回動アーム支持機構上に、スライダを係合させた回動アームを取り付けてなるので、収納棚のテレビ支持板上に上記回動アーム支持機構を乗載することによって該テレビ支持板の上側に固定でき、そのように固定すれば、収納棚のテレビ支持板の下側の収納スペースを広く確保することができる。
また、回動アームを回動させ、スライダを摺動させ、また薄型テレビ固定用ブラケットを適当な角度とすることで、利用者は、薄型テレビ固定用ブラケットに固定した薄型テレビを、首を傾けることなく目線の範囲で楽に視聴できる。
【００１５】
請求項２記載の本考案は、薄型テレビ固定用ブラケットがスライダの前端に取り付けられているので、薄型テレビを、そのスライダの摺動長さの範囲内で、十分に前方まで移動させることができる。
【００１６】
請求項３記載の本考案収納棚は、回動アーム支持機構をテレビ支持板の上面に乗載固定することによって、上記テレビ取付け装置を取り付けているので、テレビ支持板下の収納スペースを広く確保できる。
また、回動アームを回動させ、スライダを摺動させ、また薄型テレビ固定用ブラケットを適当な角度とすることで、利用者は、薄型テレビ固定用ブラケットに固定した薄型テレビを、首を傾けることなく目線の範囲で楽に視聴できる。
【００１７】
請求項４記載の本考案収納棚は、テレビ取付装置が、テレビ支持板の所要位置に開設した通孔に上記回動アーム支持機構のインサートナットを嵌合させてネジにより固定されるので、容易にその取付けができる。
【００１８】
請求項５記載の本考案収納棚は、下側収納部２９の上方に、該下側収納部２９の上面の左縁の支持板部３０、後縁の支持板部３１、右縁の支持板部３２に囲繞形成された上側収納部３３を備えているので、収納に便利で、また、その上側収納部３３が、前面を開放可能な開閉扉３３’を備えているので、美観に優れている。
【考案を実施するための最良の形態】
【００１９】
回動アーム支持機構（ａ）上に、左右両縁にレール（ｂ’，ｂ’）を形成した長尺な回動ア−ム（ｂ）を、その基端を支点に左右回動自在にして取り付け、上記回動アーム（ｂ）の上記レール（ｂ’，ｂ’）に係合する係合突縁を左右両縁に形成した長尺なスライダ（１２）を上記回動アーム（ｂ）に対して摺動自在にして係合させるとともに、左右回転および起伏傾動自在な薄型テレビ固定用ブラケット（１５）をそのスライダ（１２）に対して取り付けてなることを特徴とするテレビ取付装置。
【００２０】
上記テレビ取付装置を、テレビ支持板（３５）の上面に上記回動アーム支持機構（ａ）を乗載固定することによって取り付けたことを特徴とする収納棚。
【実施例】
【００２１】
以下、本考案の実施例について図１〜１６により詳しく説明する。
Ａは、回動ア−ム支持機構ａに左右回動自在にして回動ア−ムｂを取り付けるとともに、この回動ア−ムｂに、その長さ方向（前後方向）に摺動自在にして薄型テレビ支持機構ｃを取り付けてなるテレビ取付装置である。
【００２２】
上記回動ア−ム支持機構ａは、該テレビ取付装置Ａを床頭台に取り付けるためのもので、それは、平面ほぼ円形の軸受部１とその前側の幅細部２と該幅細部２の前端に連設され左右後方ヘ湾曲しながら延びる円弧部３とを有する平面錨形の取付板４の上記円弧部３の前縁上面に、平面円弧状の係合レール５を添設し、また、所要箇所にインサートナット（商品名；エビナット）６を下面側に突出させた状態にして固定しているもので、後記の床頭台Ｂのテレビ取付装置受入空間３４内において、このインサートナット６にネジを螺合緊締することにより、上板（テレビ支持板）３５の上面に乗載固定されるものである。
なお、その上板３５の厚さは、このインサートナット６の高さと同じか、それより厚いものとし、インサートナット６が挿入される孔が開設されている。
７，７は、上記取付板４の円弧部３の左右両端を上方に立上げ形成してなるストッパである。
また、８は、上記軸受部１の上面に設けた回動ア−ム用軸である。
【００２３】
上記回動ア−ムｂは、上記回動ア−ム支持機構ａの幅細部２より長尺なもので、その下面は平坦になっており、左右両縁の上面には断面鉤形をなすレ−ルｂ’，ｂ’が形成されている。
【００２４】
この回動ア−ムｂは、後部に開設した挿通孔を、上記回動ア−ム支持機構ａの回動ア−ム用軸８に上側から嵌合させ、回動ア−ムｂの上面側に皿バネ９’を介挿してナット９を緊締することにより、上記回動ア−ム支持機構ａの上側に取り付けられており、該回動ア−ム支持機構ａに対して、左右の上記ストッパ７，７に当接する角度までの範囲内において、上記回動ア−ム用軸８を支点に左右回動自在になっている。
また、上記の通り皿バネ９’を介挿してナット９を緊締しているので、その皿バネ９’の摩擦力により、該回動ア−ムｂは任意の位置に静止させることができるようになっている。
【００２５】
１０は、上記回動ア−ム用軸８の位置において上記回動ア−ムｂの下面側に、すわなち該回動アームｂと上記回動ア−ム用軸８のボス部との間に介挿された樹脂製の緩衝材で、これによって、回動ア−ムｂの回動時の摩擦音を低減するとともに両者の摩耗を防ぐようになっている。
【００２６】
１１は、上記回動ア−ムｂの下面に取り付けられた、係合片である。これは、その先端部を、上記回動ア−ム支持機構ａの円弧部３の外縁すなわち係合レール５の外縁に係合させている。
【００２７】
上記係合片１１は高強度樹脂製のもので、上記緩衝材１０と同様に回動ア−ムｂの回動時の摩擦音の低減を図り、回動ア−ムｂの摩耗を防ぐもので、しかも、緩衝作用をも奏する。
【００２８】
上記薄型テレビ支持機構ｃは、概括的には、上記回動ア−ムｂの長さ方向に摺動自在に嵌合しているスライダ１２の下面に垂下させた吊下げ軸１３に対して、回転部材１４を左右回転自在にして取り付け、さらに、この回転部材１４に対して起伏傾動自在にして薄型テレビ固定用ブラケット１５を取り付けてなるものである。
【００２９】
上記スライダ１２は、中央を肉厚にし下部左右両縁に肉薄な係合突縁を形成した断面凸状の長尺板状をなすもので、その係合突縁を上記回動ア−ムｂの鉤型レ−ルｂ’，ｂ’に係合させることにより、回動アームＢの上面側に、その長さ方向（前後）に摺動自在に嵌合しているものである。このスライダ１２の摺動によって、その前端に取り付けられた上記薄型テレビ固定用ブラケット１５は、スライダ１２の摺動長さの範囲内において、上記回動アームｂの前端から前方に移動させることが可能になっている。
なお、スライダ１２が回動ア−ムｂに当接する部分、すなわち、該スライダ１２の係合突縁には、該スライダ１２の滑りを良くし、また摩擦音の発生を防止する樹脂製の緩衝材を取り付けておくものである。
１２’は、スライダ１２の上面に取り付けられたケーブル案内金具で、後記の薄型テレビＣのケーブルを案内し、また、スライダ１２自体の強度を高めている。このケーブル案内金具１２’には、カバー１２”（図１６）を取り付けることができるようになっている。
【００３０】
１６は、スライダ１２の抜け落ちを防止するために回動ア−ムｂに止められストッパとして働くネジである。このネジ１６は上記緩衝材の位置決めにもなっている。
【００３１】
上記回転部材１４は、軸方向に垂直に貫通した中心孔１４’を有する筒体の対向側面を切り欠いて平坦面１７，１７を形成し、その平坦面１７，１７の、上記中心孔１４’からみて前側にずらした位置に水平に貫通したボルト孔１４”を有しているもので、上記中心孔１４’を上記吊下げ軸１３に嵌合させ、該吊下げ軸１３の下端にナット１３’を緊締することにより、左右回転を自在にして該吊下げ軸１３に取り付けられている。
【００３２】
１８は、上記吊下げ軸１３のボス部と上記回転部材１４との間に介挿された皿バネで、この摩擦力によって、回転部材１４は任意の位置に静止させることができるようになっている。
【００３３】
上記薄型テレビ固定用ブラケット１５は、薄型テレビを取り付けるための複数のネジ孔１９・・・を所要の配置にして開設した縦長のテレビ取付片２０の一側縁部の後面側に回転部材取付片２１を連設した、断面Ｌ形の左右対称形状の一対のブラケット片２２，２３からなる。
両ブラケット片２２，２３は、その一方のブラケット片２３の回転部材取付片２１に連設されている連結固定部材２３’と他方のブラケット片２２の回転部材取付片２１とにおいてネジ止めされ、一体に固定されている。
【００３４】
この薄型テレビ固定用ブラケット１５は、上記回転部材取付片２１，２１において、上記ボルト孔１４”に側方から螺合したボルト２４によって、無段階に起伏傾動できるようにして、すなわち、テレビ取付片２０，２０を垂直にした吊下起立状態からそのテレビ取付片２０，２０を後方に、垂直より３０゜程度傾斜にした状態まで無段階に傾動できるようにして上記回転部材１４に取り付けられている。（図１２，１４）
また、この薄型テレビ固定用ブラケット１５は、ストッパ２６に当接するところまで、テレビ取付片２０，２０を垂直より若干前傾にすることもできる。
【００３５】
２５，２５は、上記回転部材取付片２１，２１と回転部材１４の平坦面１７，１７との間に介挿された皿バネで、この摩擦力によって、薄型テレビ固定用ブラケット１５は任意の位置に静止させることができるようになっている。
【００３６】
２７は、上記回動ア−ムｂの上面の、左右両縁の鉤型レ−ルｂ’，ｂ’間の、上記回動ア−ム用軸８の位置に取り付けた磁石ブラケットである。 
【００３７】
２８は、上記磁石ブラケット２７の前面側（薄型テレビ固定用ブラケット１５側）に配設された磁石で、スライダ１２を回動ア−ム用軸８側に最後まで摺動させた状態にしたときに、該スライダ１２の後部に配設された磁石吸着部材２８’が当接し、これを磁力によって吸着固定するようになっている。
これは、床頭台を運搬移動等させる時に、テレビを取り付けた薄型テレビ支持機構ｃ（スライダ１２）が回動ア−ムｂの長さ方向（前方向）に、勝手に摺動しないようにするためである。
【００３８】
Ｂは、内部に複数の引出しあるいは棚等を備えた箱状の下側収納部２９の上方に、該下側収納部２９の上面の左縁の支持板部３０、後縁の支持板部３１、右縁の支持板部３２に囲繞形成された上側収納部３３を備えている床頭台である。
その上側収納部３３は、前面および左右側面の前半部を開放可能な開閉扉３３’を備えている。
３４は、上記上側収納部３３の上板（テレビ支持板）３５とその上側に支持側板３６により支持された天板３７との間に形成され、前面と左右側面の前半部とを開放し、上記テレビ取付装置Ａを受入するテレビ取付装置受入空間である。
また、３８・・・は、上記下側収納部２９の下面に取り付けられ該床頭台Ｂを移動自在に支持するキャスタ−である。
【００３９】
上記テレビ取付装置Ａは、テレビ取付装置受入空間３４の下側の上記上板３５の所要位置に開設した通孔（図示していない）に上記回動ア−ム支持機構ａのインサートナット６・・・を嵌合させるとともに、該上板３５の上に上記回動ア−ム支持機構ａの取付板４を位置させてネジにより固定することにより、この床頭台Ｂに取り付けられている。
【００４０】
したがって、テレビ取付装置Ａは、回動ア−ム支持機構ａの全てを予め一体に組み立てておき、床頭台Ｂへの取付けに際しては、その一体に組み立てたものを、上記上板３５に対してネジ止めするだけでよいから、従来のテレビ取付装置１００が、床頭台１１５の上記支持部材１１２，１１２の対向位置にガイドレ−ル１０１，１０１を固定させた上で、予め摺動部材１０３を挿通しておいたＸガイド１０２の両端を上記ガイドレ−ル１０１，１０１に支持させるというように組み立てながらの取付け作業を行わざるを得なかったのに比べ、格段に容易に取付けが行えるものである。
【００４１】
薄型テレビＣは、上記テレビ取付装置Ａの薄型テレビ固定用ブラケット１５に対してネジ止めされており、上記薄型テレビ支持機構ｃ（スライダ１２）を回動ア−ムｂに対してその長さ方向（前後方向）に摺動させることにより前後に移動させて位置の調整ができる（図１１，１２）。
【００４２】
上記回動ア−ムｂを回動ア−ム支持機構ａに対して左右に回動させれば、薄型テレビＣを左右に円弧状に移動させ、その位置を変更することができる（図１３）。
この左右への移動は、図１３に示すように、上記床頭台Ｂの左右外方の位置まで行えるようになっており、従来のテレビ取付装置１００が、上記支持部材１１２，１１２の間の狭い範囲において薄型テレビＣを左右移動できるようにしているだけであったのに比べ、移動範囲が大きくなっている。
したがって、上側収納部３３の開閉扉３３’の開閉時には、その妨げとならない位置まで薄型テレビＣを移動させることができる。
【００４３】
なお、回動ア−ムｂは、上記のとおり係合片１１を有しており、これを回動ア−ム支持機構ａの係合レール５に係合させているから、重量のある薄型テレビＣを吊り下げて回動ア−ムｂを回動ア−ム支持機構ａに対して左右に回動させてもスム−ズに回動できる。  また、薄型テレビＣの位置調整を行う時、上方向に力がかかっても上記回動ア−ム用軸８に過度の負荷がかかることがないようになっている。
【００４４】
上記回転部材１４をスライダ１２の吊下げ軸１３に対して回転させれば、薄型テレビＣの向きを左右方向に調整することができる。
【００４５】
また、薄型テレビ固定用ブラケット１５を回転部材１４に対して起伏傾動させることにより、その画面の起伏方向の向きを調整することができる。
【００４６】
このように上記薄型テレビＣは、床頭台Ｂのテレビ取付装置受入空間３４にテレビ取付装置Ａにより取り付けられ、上側収納部３３の前部・左右側部の外方の広い範囲で、前後移動、円弧状の左右移動、左右回転、および起伏傾動を自由にして吊り下げられた状態になっており、その画面が見易い位置および向きになるよう広い範囲で自在に調整できるので、利用者が首を傾けることなく目線の範囲でテレビを楽に視聴できる。
【００４７】
上記床頭台Ｂには、従来のテレビ取付装置で床頭台のかなりの部分を占めデッドスペースとなっていたテレビ取付空間が必要なくなり、テレビ取付装置Ａを受け入れるだけの狭いテレビ取付装置受入空間を確保するだけでよい。
このため、床頭台の上側収納部の収納スペ−スを広く確保することができ、また、例えば、高さが制限される場所に設置する床頭台への取り付けにも好ましい。
さらには、天板３７の上にも物を載置することができるので、便利である。
【００４８】
図１９，２０に示す従来のテレビ取付装置は、その取付けのために上側収納棚の底板（テレビ支持板）の上面にテレビ取付装置の上板を設置する必要があったため、上側収納棚内で、底板の上面に物を載置する場合に、その上板が邪魔になることがあり、使用しづらかった。
これに対し、このテレビ取付装置Ｃは、上側収納棚３３の上板３５の上面側に設置され、その上板３５の下面にはネジの頭部のみが露出するだけなので、上側収納棚に物品を収納する際にこれが邪魔になるなどの問題がない。
【００４９】
上記薄型テレビ固定用ブラケット１５は、スライダ１２に対してボ−ルジョイント等により左右回転や起伏傾動等を自在にして取り付けるようにしてもよい。このようにすれば、より簡単な構造となるので、製作コストをより低減できる。
【００５０】
また、床頭台としては、上記と同様のものに限られず、下側収納部の上面に、たとえばその上面の左右縁および後縁に立設された３枚の支持板に上板のみを支持させ、その上面にテレビ取付装置を設置したものであってもよい。
【００５１】
また、テレビ取付装置Ａは、床頭台に限らず、食器棚や本棚など他の各種収納棚に対しても、それらに設けられたテレビ支持板に乗載固定して使用することができる。
【図面の簡単な説明】
【００５２】
【図１】本考案の実施例に係るテレビ取付装置（Ａ）を示した斜視図である。
【図２】その底面図である。
【図３】その要部側面図である。
【図４】薄型テレビ支持機構（ｃ）の一部切欠正面図である。
【図５】その一部切欠側面図である。
【図６】回動ア−ム支持機構（ａ）の一部切欠側面図である。
【図７】スライダ（１２）と回動ア−ム（ｂ）との係合関係を示す横断面図である。
【図８】回動ア−ム（ｂ）の一部省略平面図である。
【図９】その縦断側面図である。
【図１０】上記テレビ取付装置（Ａ）を取り付けた床頭台（Ｂ）の正面図で、薄型テレビ（Ｃ）を正面に向けた状態を示す。
【図１１】その側面図で、薄型テレビ（Ｃ）を床頭台の奥へ押し込んだ状態を示す。
【図１２】その側面図で、薄型テレビ（Ｃ）を床頭台の前方へ引き出した状態を示す。
【図１３】その平面図である。
【図１４】その側面図で、薄型テレビ（Ｃ）を床頭台の前方へ引き出し、かつ傾斜させた状態を示す。
【図１５】その薄型テレビ（Ｃ）を側方に向けた状態を示した側面図である
【図１６】上記テレビ取付装置（Ａ）を取り付けた床頭台（Ｂ）の斜視図である。
【図１７】従来のテレビ取付装置を示した分解斜視図である。
【図１８】上記従来のテレビ取付装置を取り付けた床頭台の斜視図である。
【図１９】従来の、他のテレビ取付装置を取り付けた床頭台の側面図である。
【図２０】その平面図である。
【符号の説明】
【００５３】
Ａ    テレビ取付装置
Ｂ    床頭台（収納棚）
Ｃ    薄型テレビ
ａ    回動ア−ム支持機構
ｂ    回動ア−ム
ｃ    薄型テレビ支持機構
１    軸受部
２    幅細部
３    円弧部
４    取付板
５    係合レール
６    インサートナット
７    ストッパ
８    回動ア−ム用軸
１１  係合片
１２  スライダ
１４  回転部材
１５  薄型テレビ固定用ブラケット
２９  下側収納部
３０〜３２  支持板部
３３  上側収納部
３４  テレビ取付装置受入空間
３５  上板（テレビ支持板）
【図１】
0003136366.tif 000003
【図２】
0003136366.tif 000004
【図３】
0003136366.tif 000005
【図４】
0003136366.tif 000006
【図５】
0003136366.tif 000007
【図６】
0003136366.tif 000008
【図７】
0003136366.tif 000009
【図８】
0003136366.tif 000010
【図９】
0003136366.tif 000011
【図１０】
0003136366.tif 000012
【図１１】
0003136366.tif 000013
【図１２】
0003136366.tif 000014
【図１３】
0003136366.tif 000015
【図１４】
0003136366.tif 000016
【図１５】
0003136366.tif 000017
【図１６】
0003136366.tif 000018
【図１７】
0003136366.tif 000019
【図１８】
0003136366.tif 000020
【図１９】
0003136366.tif 000021
【図２０】
0003136366.tif 000022